(57)【要約】【課題】印刷と送信とを同時実行する場合で、付加用画像を所定位置に合成するに際して、付加用画像の位置を印刷用紙と送信画像との間で一致させ、しかもユーザの意図に沿う位置に設定することを可能にする。【解決手段】相対位置が「右上」と設定されたスタンプ（付加用画像）について、「印刷に合わせる」キー７２、「送信に合わせる」キー７６を含むメニューを表示画面７０内に表示されている。ユーザは、このキー７２，７６の選択により、どちらの基準に合わせるかを選択可能である。【選択図】図５
2008124663.tif 000002
【特許請求の範囲】
【請求項１】
原稿を読み取り原稿画像を生成する読取手段と、
前記原稿画像を用紙に印刷する印刷手段と、
前記原稿画像を送信する送信手段と、
前記原稿画像に合成すべき付加用画像の、当該原稿画像上における合成位置を受け付ける第１メニューを表示する第１メニュー表示手段と、
１つのジョブで印刷と送信とを実行するに際して、前記受け付けた合成位置の基準として、冊子として綴じられるときの綴じ位置に基づいた印刷基準とする第１項目、及び原稿画像の天地方向に基づいた送信基準とする第２項目を含む第２メニューを表示する第２メニュー表示手段と、
選択された項目に対応する基準に従って、印刷及び送信される原稿画像上に付加用画像を合成する画像合成手段と
を備えることを特徴とする画像形成装置。
【請求項２】
前記第２メニューは、合成位置の基準を、印刷される原稿画像については前記印刷基準とし、送信される原稿画像については前記送信基準とする第３項目をさらに含み、
前記第３項目が選択された場合、前記画像合成手段は、印刷される原稿画像に関しては用紙上の前記印刷基準により位置決めされた位置に付加用画像を合成し、送信される原稿画像に関しては前記送信基準により位置決めされた位置に付加用画像を合成する
ことを特徴とする請求項１に記載の画像形成装置。
【発明の詳細な説明】
【技術分野】
【０００１】
本発明は、原稿画像に関して付加用画像を合成する機能を備えた画像形成装置に関する。
【背景技術】
【０００２】
従来、読み取った原稿画像に、所定の図形やページ番号などから構成される付加用画像を合成して、印刷（画像形成）や送信（ＦＡＸ送信など）する機能を備えた画像形成装置が知られている。
付加用画像を合成して印刷する場合には、印刷された用紙が冊子として綴じられた時の事を考慮し、合成する位置（用紙上に印刷する位置）を綴じ位置に基づいた基準としている。
【０００３】
これに対して、付加用画像を合成して送信する場合には、合成する位置は原稿画像の方向に基づいた基準とされることが一般的である。
【特許文献１】特開2003-231305号公報
【発明の開示】
【発明が解決しようとする課題】
【０００４】
ところで、係る画像形成装置において印刷と送信とを１つのジョブで同時実行し、かつ付加用画像を形成したい場合には、上述のように印刷と送信とで付加用画像の位置の基準が異なるため、印刷用紙と送信画像との間で付加用画像の位置が異なってしまうことが考えられる。
本発明は上述の問題に鑑みてなされたものであって、印刷と送信とを同時実行する場合で、付加用画像を所定位置に合成するに際して、付加用画像の位置を印刷用紙と送信画像との間で一致させ、しかもユーザの意図に沿う位置に設定することが可能な画像形成装置を提供することを目的とする。
【課題を解決するための手段】
【０００５】
上述の目的を達成するために、本発明に係る画像形成装置は、原稿を読み取り原稿画像を生成する読取手段と、前記原稿画像を用紙に印刷する印刷手段と、前記原稿画像を送信する送信手段と、前記原稿画像に合成すべき付加用画像の、当該原稿画像上における合成位置を受け付ける第１メニューを表示する第１メニュー表示手段と、１つのジョブで印刷と送信とを実行するに際して、前記受け付けた合成位置の基準として、冊子として綴じられるときの綴じ位置に基づいた印刷基準とする第１項目、及び原稿画像の天地方向に基づいた送信基準とする第２項目を含む第２メニューを表示する第２メニュー表示手段と、選択された項目に対応する基準に従って、印刷及び送信される原稿画像上に付加用画像を合成する画像合成手段とを備えることを特徴とする。
【発明の効果】
【０００６】
この構成によれば、まず、第１メニューにおいて、原稿画像上における相対的な合成位置を受け付け、続く第２メニューにおいて、受け付けた合成位置の基準を印刷基準または送信基準のいずれとするかの選択を受け付ける。従って、ユーザの意向に沿って、付加用画像の合成位置を印刷用紙と送信画像とで統一することが可能となる。
また、前記第２メニューは、合成位置の基準を、印刷される原稿画像については前記印刷基準とし、送信される原稿画像については前記送信基準とする第３項目をさらに含み、前記第３項目が選択された場合、前記画像合成手段は、印刷される原稿画像に関しては用紙上の前記印刷基準により位置決めされた位置に付加用画像を合成し、送信される原稿画像に関しては前記送信基準により位置決めされた位置に付加用画像を合成することを特徴とする。
【０００７】
この構成によれば、前記選択項目が選択された場合には、合成位置を印刷用紙と送信画像とで別個に設定することが可能となる。このため、合成位置を、ユーザの意向に沿う形でしかも印刷用紙と送信画像の両者の特性を考慮した位置に設定することができる。
【発明を実施するための最良の形態】
【０００８】
以下、図面を参照しながら本発明の実施の形態について、画像形成装置であるＭＦＰ（Multi Function Peripheral）に適用した場合を例に挙げて説明する。
図１（ａ）は、ＭＦＰの外観を示す図である。ＭＦＰ１は、スキャナ、コピー、プリント（印刷）、スキャナにより生成した原稿画像をＦＡＸ送信やメール送信する機能、原稿画像にページ番号などの付加用画像を合成する合成機能、さらに印刷と送信とを１回のジョブとして同時に実行する機能などの機能を備える複合機である。
【０００９】
ＡＤＦ（Auto Documennt Feeder）２は、セットされた原稿を自動的に搬送する。セットされたサイズの異なる原稿（混載原稿）を搬送することも可能である。
図１（ｂ）は、ＭＦＰの機能ブロック図である。
ＭＦＰ１は、制御部１０、自動原稿搬送部２０、原稿読み取り部２２、画像形成部２４、給紙部２６、操作パネル３０を備える。
【００１０】
制御部１０は、ＣＰＵ１１、通信I/F部１２、ＲＡＭ１３、ＲＯＭ１４、ＥＥＰＲＯＭ１５、ＨＤＤ１６、ファクシミリ部１７、メーラ部１８を有する。
ＣＰＵ１１は、ＭＦＰ１の各機能ブロックを統括的に制御する。
通信I/F部１２は、通信インターフェイスを担当する。
ＲＡＭ１３、ＥＥＰＲＯＭ１５、ＨＤＤ１６は各種データを記憶する。
【００１１】
ＲＯＭ１４は、ＣＰＵ１１が実行する制御プログラムを格納している。
ファクシミリ部（ＦＡＸ部）１７は、ファクシミリ機能を実現する。
メーラ部１８は、図示しないメールサーバからメールを読み出したり、メールサーバにメールを送り届ける。
自動原稿搬送部２０は、ハードウェアとしてＡＤＦ２を含んでおり、トレイに載置された原稿を自動的に搬送する。
【００１２】
原稿読み取り部（スキャナ部）２２は、原稿を読み取ることにより原稿画像データを生成する。
画像形成部（プリンタ部）２４は、原稿画像データを用紙に印刷する。給紙部２６は、画像形成部２４に用紙を供給する。
操作パネル３０は、ハードウェアとしてはタッチパネルと押しボタンキーを含んでおり、ユーザに対して表示を行う表示部３２と、ユーザから入力操作を受け付ける操作部３４を含む。
【００１３】
図２は、印刷と送信の同時実行のジョブが設定され、かつ合成機能設定の選択があった場合における処理内容を示すフローチャートである。
まず、操作が開始され（S11）、印刷と送信の同時実行のジョブが設定されると（S12:Yes）、合成機能設定の選択があれば（S13:Yes）、付加用画像の種類の設定を受け付ける（S14）。
【００１４】
図３は、ステップS14における操作パネル３０の表示画面４０を示す図である。
表示画面４０内には、付加用画像であるスタンプの種類の選択メニューが表示されている。
キー４１〜４５に対応するスタンプの内容は次の通りである。
「日付／時刻」は、日付や時刻のスタンプである。
【００１５】
「ページ」は、読み込んだ原稿画像の順にページ番号を付するスタンプである。
「ナンバリング」は、原稿画像に管理番号を付するスタンプである。例えば、１００部中の３部目の原稿画像には「３／１００」といった管理番号をスタンプする。情報セキュリティの観点から、係る管理番号はとりわけ送信する原稿画像と印刷する原稿画像との間で完全一致させることが求められる傾向にある。
【００１６】
「定型スタンプ」は、「至急」、「社外秘」といった所定の文言をスタンプする。
「ウォーターマーク」は、所定の文言を透かしとしてスタンプする。
キー４１〜４５のいずれかが選択された状態で「ＯＫ」キー４６が選択されると、スタンプ種類がキーに対応する種類に確定される。
付加用画像の種類設定を終えると、種類が確定した付加用画像の位置設定に移行する（S１５）。
【００１７】
図４は、ステップS15における操作パネル３０の表示画面５０を示す図である。
表示画面５０内には、付加用画像の合成位置を受け付けるメニューが表示されている。
原稿画像上における合成位置は、分割された９つの領域に対応するキー（「左上」キー５１、「中央上」キー５２、「右上」キー５３、「左中」キー５４、「中央」キー５５、「右中」キー５６、「左下」キー５７、「中央中」キー５８、「右下」キー５９）から選択可能である。
【００１８】
表示画面５０の左部は、キー５１〜５９などにより指定された合成位置の、原稿画像上の位置を模式的に示す領域６４となっている。
なお、「微調整」キー６６の選択により、合成位置を0.1mm単位での微調整が可能であり、「調整変更」キー６０により調整した微調整が反映されることとなる。
「ＯＫ」キー６１が選択されると、指定された合成位置に確定することとなる。
【００１９】
付加用画像の合成位置設定を終えると、位置を合わせる基準の選択に移行する（S16）。
図５は、ステップS16における操作パネル３０の表示画面７０を示す図である。
表示画面７０内には、「スタンプ位置の基準はどれにしますか」という文言と、メニュー項目として３つの基準に対応するキー７２，７６，７７を含む基準選択メニューが表示されている。
【００２０】
「印刷に合わせる」キー７２内には、読み込んだ原稿画像の１〜３ページとそのスタンプ７４、綴じ位置７３が表示されている。
「送信に合わせる」キー７６内には、読み込んだ原稿画像の１〜３ページとそのスタンプ７４が表示されている。
図６は、原稿画像の１ページ目から３ページ目における合成位置を説明するための図であり、（ａ）は印刷に合わせる場合、（ｂ）は送信に合わせる場合、（ｃ）は印刷と送信とで個別の基準とする場合を示している。
【００２１】
図６（ａ）〜（ｃ）に示すように、実施の形態においては、1ページ目と３ページ目は縦長（portrait）、２ページ目は横長（landscape）の、３ページの原稿画像に関して、合成位置に付加用画像を合成して印刷と送信とを同時実行する場合を例として説明する。
次に、図５，図６を参照しながら、キー７２，７６，７７が選択された場合の合成位置の設定について順に説明する。
【００２２】
（１）印刷に合わせる場合（S16:印刷結果に合わせる,S17）
「印刷に合わせる」キー７２が選択されると、合成位置は用紙を綴じたときの利便性を考慮して、次のように設定される。
まず、本実施の形態においては綴じ位置は左綴じとしており、１ページ目の原稿画像の天地方向に基づいて、綴じ位置７３が決定される。
【００２３】
そして、合成位置が例えば「右上」の場合には、スタンプ７４の位置は、１ページ目の原稿画像の天地方向に基づいた位置となる。２ページ目以降のスタンプ７４の位置は、用紙を綴じた際にページめくりにも関わらず同じ位置となるように、１ページ目と同じ位置に設定される。
この場合、図６（ａ）に示すように、印刷用の原稿画像と送信用の原稿画像とで原稿画像上における合成位置は一致することとなる。
【００２４】
なお、上記した１ページ目の原稿画像の天地方向は、ADF２のトレイに載置された原稿のセット方向やユーザ指定、もしくは読み込んだ原稿画像に対する文字認識や画像認識により決定しても構わない（以下も同じ。）。
（２）送信に合わせる場合（S16:送信結果に合わせる,S18）
「送信に合わせる」キー７６が選択されると、ＰＣのビューアによる閲覧の利便性などを考慮して、合成位置は各ページ毎にその原稿画像の天地方向に基づいて決定される。
【００２５】
この場合も、図６（ｂ）に示すように、印刷用の原稿画像と送信用の原稿画像とで原稿画像上における合成位置は統一されることとなる。
（３）印刷用と送信用とで個別にそれぞれの基準とする（S16:印刷と送信とで別項に処理する,S19）
「印刷と送信とで別個に処理する」キー７７が選択された場合、図６（ｃ）に示すように、印刷用の原稿画像の合成位置は綴じ位置基準として設定され、送信用の原稿画像の合成位置は、各原稿画像の天地方向に基づいた基準として設定される。
【００２６】
係る場合には、印刷用の原稿画像と送信用のものとで合成位置は統一されないものの、印刷と送信の両者の特性に応じた合成位置に設定することが可能となる。
ステップS17〜S19において、設定された位置に応じて、その位置に付加用画像が合成される画像処理が行われる。その後、印刷と送信とが実行される。
（想定される利用態様についての補足）
印刷と送信とにおける利用態様について簡単に補足する。
【００２７】
図７は、印刷または送信された原稿画像の利用態様を説明するための図であり、（ａ）は小冊子としての利用、（ｂ）はポスター展示としての利用、（ｃ）はＰＣのビューアによる利用を示している。
図７（ａ）に示すように、３ページの用紙が左綴じされてなる小冊子７０は、ページをめくっても合成位置が同じ右上となり小冊子に適した合成位置となっている。印刷した用紙を小冊子として使用したい場合にユーザは表示画面７０におけるキー７２（図５参照）を選択することで適した合成位置に設定することができる。なお、キー７７を選択しても同様に可能である。
【００２８】
図７（ｂ）は、掲示板８１に、用紙８２〜８４が貼着されており、用紙８２〜８４はいずれも原稿の天地方向を基準とした右上が合成位置となっている。このため、掲示板８１の閲覧者に対して違和感なく展示することが可能である。
図７（ｃ）は、送信されたＰＤＦ形式の原稿画像を、ＰＤＦ形式のビューア（閲覧ソフト）９０で閲覧する場面を示している。この場合も、原稿画像９１〜９４にはいずれも天地方向を基準とした右上の合成位置であるため、閲覧向きである。ユーザは、表示画面７０におけるキー７６（図５）を選択することで図７（ｂ）（ｃ）に示すような送信向きの合成位置に設定された画像を送ることが可能となる。
【００２９】
以上説明したように、本実施の形態によれば、印刷と送信とを同時実行する場合に、付加用画像を、印刷に合わせる、送信に合わせる、あるいは別個に処理するのかを選択することができるので、ユーザの意図に沿う処理を実行することが可能となる。
そして、付加用画像の位置を印刷と送信とで一致した位置に設定することが可能となるので、印刷した用紙における合成位置と、送信先の原稿画像における合成位置とを一致させることができる。
【産業上の利用可能性】
【００３０】
本発明によれば、印刷と送信とを同時実行する場合に、付加用画像を所定位置に合成するに際して、付加用画像の位置を印刷と送信とで一致した位置に設定することが可能となる。
【図面の簡単な説明】
【００３１】
【図１】（ａ）は、ＭＦＰ１の外観を示す図である。（ｂ）は、ＭＦＰ１の機能ブロック図である。
【図２】印刷と送信の同時実行が設定され、かつ合成機能設定の選択があった場合における処理内容を示すフローチャートである。
【図３】操作パネル３０の表示画面４０を示す図である。
【図４】操作パネル３０の表示画面５０を示す図である。
【図５】操作パネル３０の表示画面７０を示す図である。
【図６】図６は、原稿画像の１ページ目から３ページ目における合成位置を説明するための図であり、（ａ）は印刷に合わせる場合、（ｂ）は送信に合わせる場合、（ｃ）は印刷と送信とで個別の基準とする場合を示している。
【図７】印刷または送信された原稿画像の利用態様を説明するための図であり、（ａ）は小冊子としての利用、（ｂ）はポスター展示としての利用、（ｃ）はＰＣのビューアによる利用を示している。
【符号の説明】
【００３２】
１  ＭＦＰ
２  ＡＤＦ
１０  制御部
２２  原稿読み取り部
２４  画像形成部
３０  操作パネル
４０，５０，７０  表示画面
５１〜５９  合成位置の領域を指定するキー
７２  「印刷に合わせる」キー
７４  スタンプ
７６  「送信に合わせる」キー
７７  「印刷と送信とで別個に処理する」キー
【図１】
2008124663.tif 000003
【図２】
2008124663.tif 000004
【図３】
2008124663.tif 000005
【図４】
2008124663.tif 000006
【図５】
2008124663.tif 000007
【図６】
2008124663.tif 000008
【図７】
2008124663.tif 000009